(57)【要約】【課題】本発明は、引込み機能を有するスライドレールにおける減速装置に関し、簡単な構造でコンパクトに構成でき、円滑な摺動力で、安価に製作できる、減速装置を提供することを課題とする。【解決手段】引込み機能を有するスライドレールにおいて、固定側メンバーに設けられた自己復帰型のシリンダー式ダンパーと、シリンダー式ダンパーに作用する操作体より構成され、移動側メンバーが引込み位置に達すると、操作体は、シリンダー式ダンパーのピストンシャフトを押し込むように回動し、移動側メンバーが引込み終了位置から引き出され、所定位置を通過すると初期姿勢に復帰すると共に、操作体の回動支点からシリンダー式ダンパーに作用する操作体の箇所までの寸法より、操作体の回動支点から移動側メンバー又は固定側メンバーの操作体を回動させる箇所までの寸法が大きく設定されているものである。【選択図】図５
2011239849.tif 000002
【特許請求の範囲】
【請求項１】
引込み機能を有するスライドレールにおいて、固定側メンバー又は移動側メンバーに設けられた自己復帰型のシリンダー式ダンパーと、シリンダー式ダンパーと同じメンバー側に設けられ、シリンダー式ダンパーに作用する操作体より構成され、移動側メンバーが引込み位置に達すると、操作体は、シリンダー式ダンパーのピストンシャフトを押し込むように回動し、移動側メンバーが引込み終了位置から引き出され、所定位置を通過すると初期姿勢に復帰すると共に、操作体の回動支点からシリンダー式ダンパーに作用する操作体の箇所までの寸法より、操作体の回動支点から移動側メンバー又は固定側メンバーの操作体を回動させる箇所までの寸法が大きく設定されていることを特徴とする引込み機能を有するスライドレールにおける減速装置。
【請求項２】
引込み機能を有するスライドレールにおいて、固定側メンバー又は移動側メンバーに設けられた自己復帰型のシリンダー式ダンパーと、シリンダー式ダンパーと同じメンバー側に設けられ、シリンダー式ダンパーに作用する操作体より構成され、移動側メンバーが引込み位置に達すると、操作体は、シリンダー式ダンパーのピストンシャフトを押し込むように回動し、移動側メンバーが所定位置まで引込まれると操作体の回動が停止し、移動側メンバーが引込み終了位置に達するまで停止した状態を維持し、移動側メンバーが引込み終了位置から所定位置に引き出されるまで、引込み終了位置での回動角度を維持し、所定位置を通過すると、初期姿勢に復帰すると共に、操作体の回動支点からシリンダー式ダンパーに作用する操作体の箇所までの寸法より、操作体の回動支点から移動側メンバー又は固定側メンバーの操作体を回動させる箇所までの寸法が大きく設定されていることを特徴とする引込み機能を有するスライドレールにおける減速装置。
【請求項３】
引込み機能を有するスライドレールにおいて、固定側メンバーの後端部に設けられた自己復帰型のシリンダー式ダンパーと、固定側メンバーの後端部に回動自在に設けられた操作体より構成され、操作体は、移動側メンバーが引込み位置に達すると、移動側メンバーの後端部によってシリンダー式ダンパーのピストンシャフトを押し込むように回動し、所定角度回動すると、移動側メンバーの後端部を乗り越えて回動運動が停止し、移動側メンバーが引込み終了位置に達するまで停止した状態を維持し、移動側メンバーが引込み終了位置から引出されて、移動側メンバーの後端部が所定位置に達した後初期状態に復帰すると共に、操作体の回動支点からシリンダー式ダンパーに作用する操作体の箇所までの寸法より、操作体の回動支点から移動側メンバー又は固定側メンバーの操作体を回動させる箇所までの寸法が大きく設定されていることを特徴とする引込み機能を有するスライドレールにおける減速装置。
【請求項４】
引込み機能を有するスライドレールにおいて、移動側メンバーの前端部に設けられた自己復帰型のシリンダー式ダンパーと、回動支点を中心に回動自在に移動側メンバーの前端部に設けられた操作体より成り、操作体は回動支点のシリンダー式ダンパー側がシリンダー式ダンパーに連係し、他方側は、移動側メンバーが引込み位置に達すると、固定側メンバーの前端部によってシリンダー式ダンパーのピストンシャフトを押し込むように回動し、所定角度回動すると、固定側メンバーの後端部を乗り越えて回動運動が停止し、停止した状態を、移動側メンバーが引込み終了位置に達するまで維持し、移動側メンバーが引込み終了位置から引出されても、移動側メンバーの前端部が所定位置に達するまで引込み終了位置での回動角度を維持し、その後、初期状態に復帰するよう回動自在となし、操作体の回動支点からシリンダー式ダンパーに作用する操作体の箇所までの寸法より、操作体の回動支点から移動側メンバー又は固定側メンバーの操作体を回動させる箇所までの寸法が大きく設定されていることを特徴とする引込み機能を有するスライドレールにおける減速装置。        
【発明の詳細な説明】
【技術分野】
【０００１】
本発明は、スライドレールに連結された家具等の引出し部、陳列棚等のスライド棚等の移動側部材を、引出し状態（スライド全開状態）から収納位置（最終収納位置）まで完全に移動させなくても、所定位置まで移動されると、後は自動的に家具本体等の固定側部材に引き込まれ、運搬時、地震時等、固定側部材からの移動側部材の不用意な飛び出しを防止する引込み機能を有するスライドレールにおいて、引込み開始時にスライドスピードが急激にアップするのを防止するだけでなく、引込み開始位置から引込み終了位置まで緩やかに引込まれ、かつ、引込み終了位置からの引出し力に与える影響がほとんどない、引込み機能を有するスライドレールにおける減速装置に関するものである。
【背景技術】
【０００２】
従来の引込み機能を有するスライドレールに設けられる減速装置で自己復帰型のシリンダー式ダンパーを利用したものは、移動側メンバーの摺動運動（直線運動）を自己復帰型のシリンダー式ダンパーに直接作用させ、スライドレールの引込み開始位置から引込み終了位置まで減速させるものである。
このため、引込み開始位置から引込み終了位置までの距離と同じストロークを持ったシリンダー式ダンパーが必要で、引込み距離が長くなるに従って、全長の長いシリンダー式ダンパーが必要となり、スライドレールに占めるシリンダー式ダンパーの占有率が大きくなるので、スライドレール本来の移動距離に制約を受けていた。
【０００３】
又、減速装置はスライドレール、移動側メンバーの摺動ラインと平行にもうけられ、一方、引込み装置は、引っ張りばねを引張り伸ばすことより得られたエネルギーを、引込み開始位置から引込み終了位置に向かう方向に開放することで、スライドレールを引込んでいるので、引込み終了位置に近づくにつれて、ばねのエネルギーは小さくなる。
そして、この最終位置付近でもシリンダーダンパーあるいはギアー減速器による減速抵抗は変わらないので、この減速抵抗に打ち勝つ引込み力を得るため、引込み開始位置での引込み力を強く設定（ばねの引張り力を強く設定する）する必要があった。
このため、スライドレールの引込み終了位置から、移動側メンバーを引き出すときには、強く設定された引込み力以上の力を必要とし、スライドレールの円滑な摺動に支障をきたしていた。
【先行技術文献】
【特許文献】
【０００４】
【特許文献１】特許第３７０９１５３号公報
【発明の概要】
【発明が解決しようとする課題】
【０００５】
本発明は、簡単な構造でコンパクトに構成でき、円滑な摺動力で、安価に製作できる、引込み機能を有するスライドレールの減速装置を提供することを課題とする。
【課題を解決するための手段】
【０００６】
そこで、上記課題を解決する為、本発明が第１の手段として構成したところは、引込み機能を有するスライドレールにおいて、固定側メンバー又は移動側メンバーに設けられた自己復帰型のシリンダー式ダンパーと、シリンダー式ダンパーと同じメンバー側に設けられ、シリンダー式ダンパーに作用する操作体より構成され、移動側メンバーが引込み位置に達すると、操作体は、シリンダー式ダンパーのピストンシャフトを押し込むように回動し、移動側メンバーが引込み終了位置から引き出され、所定位置を通過すると初期姿勢に復帰すると共に、操作体の回動支点からシリンダー式ダンパーに作用する操作体の箇所までの寸法より、操作体の回動支点から移動側メンバー又は固定側メンバーの操作体を回動させる箇所までの寸法が大きく設定されているものである。
【０００７】
次に本発明が第２の手段として構成したところは、引込み機能を有するスライドレールにおいて、固定側メンバー又は移動側メンバーに設けられた自己復帰型のシリンダー式ダンパーと、シリンダー式ダンパーと同じメンバー側に設けられ、シリンダー式ダンパーに作用する操作体より構成され、移動側メンバーが引込み位置に達すると、操作体は、シリンダー式ダンパーのピストンシャフトを押し込むように回動し、移動側メンバーが所定位置まで引込まれると操作体の回動が停止し、移動側メンバーが引込み終了位置に達するまで停止した状態を維持し、移動側メンバーが引込み終了位置から所定位置に引き出されるまで、引込み終了位置での回動角度を維持し、所定位置を通過すると、初期姿勢に復帰すると共に、操作体の回動支点からシリンダー式ダンパーに作用する操作体の箇所までの寸法より、操作体の回動支点から移動側メンバー又は固定側メンバーの操作体を回動させる箇所までの寸法が大きく設定されているものである。
【０００８】
次に、本発明が第３の手段として構成したところは、引込み機能を有するスライドレールにおいて、固定側メンバーの後端部に設けられた自己復帰型のシリンダー式ダンパーと
、固定側メンバーの後端部に回動自在に設けられた操作体より構成され、操作体は、移動側メンバーが引込み位置に達すると、移動側メンバーの後端部によってシリンダー式ダンパーのピストンシャフトを押し込むように回動し、所定角度回動すると、移動側メンバーの後端部を乗り越えて回動運動が停止し、移動側メンバーが引込み終了位置に達するまで停止した状態を維持し、移動側メンバーが引込み終了位置から引出されて、移動側メンバーの後端部が所定位置に達した後初期状態に復帰すると共に、操作体の回動支点からシリンダー式ダンパーに作用する操作体の箇所までの寸法より、操作体の回動支点から移動側メンバー又は固定側メンバーの操作体を回動させる箇所までの寸法が大きく設定されているものである。
【０００９】
次に、本発明が第４の手段として構成したところは、引込み機能を有するスライドレールにおいて、移動側メンバーの前端部に設けられた自己復帰型のシリンダー式ダンパーと、回動支点を中心に回動自在に移動側メンバーの前端部に設けられた操作体より成り、操作体は回動支点のシリンダー式ダンパー側がシリンダー式ダンパーに連係し、他方側は、移動側メンバーが引込み位置に達すると、固定側メンバーの前端部によってシリンダー式ダンパーのピストンシャフトを押し込むように回動し、所定角度回動すると、固定側メンバーの後端部を乗り越えて回動運動が停止し、停止した状態を、移動側メンバーが引込み終了位置に達するまで維持し、移動側メンバーが引込み終了位置から引出されても、移動側メンバーの前端部が所定位置に達するまで引込み終了位置での回動角度を維持し、その後、初期状態に復帰するよう回動自在となし、操作体の回動支点からシリンダー式ダンパーに作用する操作体の箇所までの寸法より、操作体の回動支点から移動側メンバー又は固定側メンバーの操作体を回動させる箇所までの寸法が大きく設定されているものである。
【発明の効果】
【００１０】
移動側メンバーの摺動運動を自己復帰型のシリンダー式ダンパーに直接作用させずに、移動側メンバーが引込まれるに伴って、シリンダー式ダンパーのピストンシャフトを押し込むよう操作体を回動自在とし、操作体の回動支点からシリンダー式ダンパーに作用する操作体の箇所までの寸法より、操作体の回動支点から移動側メンバー又は固定側メンバーの操作体を回動させる箇所までの寸法を大きく設定しているので、仮に、操作体の回動支点からシリンダー式ダンパーのピストンシャフトを押し込ように作用する操作体の箇所までの寸法と、操作体の回動支点から移動側メンバーの又は固定側メンバーの操作体を回動させる箇所までの寸法の比が１対２になれば、移動側メンバーの減速距離が２に対しシリンダー式ダンパーのピストンシャフトのストロークを１とすることができるので、移動側メンバーの減速距離に対してシリンダー式ダンパーの長さを短くすることが出来る。
すなわち、小型のシリンダー式ダンパーを採用することができるので、安価であり、減速装置をコンパクト製作することが出来、スライドレールに内蔵して取付けることも可能となる。
【００１１】
一方、自己復帰型のシルンダー式ダンパーは自己復帰（ピストンシャフトを最大伸長状態にする）用のスプリングを内蔵している（復帰力を有している）ので、移動側メンバーの引込み力は、この復帰力を上回る強さに設定する必要があり、引込み力を強く設定すると、引込み終了位置から移動側メンバーを引き出すときには、強く設定された引込み力以上の力を必要とする。
そして、一般的に小型のシリンダー式ダンパーは復帰力も小さいので、復帰力に対応して引込み力を特に強く設定する必要がなくなり、したがって、引込み終了位置から移動側メンバーを引き出すときにも円滑に引き出すことが可能となり引出しの操作性が向上する。
【００１２】
さらに、シリンダー式ダンパーのピストンシャフトを押し込むよう操作体を回動自在としているので、仮に、操作体の回動支点からシリンダー式ダンパーのピストンシャフトを押し込ように作用する操作体の箇所までの寸法と、操作体の回動支点から操作体を回動させる移動側メンバー又は固定側メンバーの箇所までの寸法の比が１対２とすれば、操作体を回動させるのに必要とする移動側メンバーの力（移動側メンバーの引込み力）が１に対しシリンダー式ダンパーに作用する力（ピストンシャフトを押し込む力）は２となる。
すなわち、移動側メンバーの引込み力を特に強くしなくても、シリンダー式ダンパーの復帰力に十分に対応することが可能となり、引込み終了位置から移動側メンバーを引き出すときにも円滑に引き出すことが可能で引出しの操作性が向上する。
【００１３】
本発明の第２の手段としての構成によると、前記第１の手段としての構成による効果に加え、移動側メンバーが所定位置まで引込まれると、操作体の回動が停止し、移動側メンバーが引込み終了位置に達するまで回動角度を維持しているので、移動側メンバーは、引込みを開始する位置から所定位置まで、設定当初の引込み力で引込まれるのを、操作体の回動とシリンダー式ダンパーによって緩衝、減速して緩やかに引込まれて、引込み力が次第に弱まっていくとき、操作体の回動が停止し減速機能を解除するので、弱まった引込み力の影響を受けることなく、引込み当初の減速された緩やかな動きとは逆に、まるで吸い込まれるような速い動きでスムースに引込み終了位置まで移動側メンバーは引込まれる。
さらに、移動側メンバーが引込み終了位置から所定位置に引出されるまで、引込み終了位置での操作体の回動角度は維持されているので、自己復帰型シリンダー式ダンパーの復帰力の影響を受けることがなく、弱まった状態の引込み力を上回るだけの力で移動側メンバーを軽く引出すことが出来る。
【００１４】
本発明の第３の手段としての構成によると、前記第１の手段としての構成による効果及び前記第２の手段としての構成による効果に加え、シリンダー式ダンパーと操作体を固定側メンバーの後端部に設けているので、外部から直接見えることがないので、スライドレールとしての見栄えが良い。
本発明の第４の手段としての構成によると、前記第１の手段としての構成による効果及び前記第２の手段としての構成による効果に加え、シリンダー式ダンパーと操作体を移動側メンバーの前端部に設けているので、スライドレールが引出されたときに、同時に引き出されるので、減速装置の点検、修理等が容易に出来る。
【図面の簡単な説明】
【００１５】
【図１】図１は、第１実施例の減速装置を具備するスライドレールの最短収縮状態の斜視図である。
【図２】図２は、第１実施例の減速装置を具備するスライドレールの引き出し途中の斜視図である。
【図３】図３は、図１の状態のスライドレールの後端部拡大斜視図である。
【図４】図４は、図２の状態のスライドレールの後端部拡大斜視図である。
【図５】図５は、引込み部材と第１実施例の減速装置の分解斜視図である。
【図６】図６は、第１実施例の減速装置を具備するスライドレールの分解斜視図である。
【図７】図７は、図４のA―A線拡大断面図である。
【図８】図８は、図４のB―B線拡大断面図である。
【図９】図９は、第１実施例の発明を具備するスライドレールの最短収縮状態での後端部の固定側メンバー側からの正面図である。
【図１０】図１０は、図９に対応した後端部側からの正面図である。
【図１１】図１１は、移動側メンバーが引込み開始位置に達した状態の第１実施例の減速装置を具備するスライドレールの後端部の固定側メンバー側からの正面図である。
【図１２】図１２は、図１１に対応した後端部側からの正面図である。
【図１３】図１３は、移動側メンバーの引込み途中を示す第１実施例の減速装置を具備するスライドレールの後端部の固定側メンバー側からの正面略図である。
【図１４】図１４は、移動側メンバーの引込み途中で、減速機能が解除された状態の第１実施例の減速装置を具備するスライドレールの後端部の固定側メンバー側からの正面略図である。
【図１５】図１５、は第２実施例の減速装置を具備するスライドレールの最短収縮状態の斜視図である。
【図１６】図１６は、移動側メンバーが引込み開始位置の手前に達した状態の、第２実施例の減速装置を具備するスライドレールの、固定側メンバーの後端部側からの斜視図である。
【図１７】図１７は、第２実施例の減速装置の分解斜視図である。
【図１８】図１８は、移動側メンバーが引き込み開始位置に達した状態とその時の第２実施例の減速装置の状態を示す固定側メンバー側からの正面略図である。
【図１９】図１９は、移動側メンバーの引き込み途中の状態と、その時の第２実施例の減速装置の状態を示す固定側メンバー側からの正面略図である。
【図２０】図２０は、移動側メンバーの引き込み途中の状態で第２実施例の減速装置の減速機能が解除された状態を示す固定側メンバー側からの正面略図である。
【図２１】図２１、移動側メンバーが引込み終了位置に達した状態と、その時の第２実施例の減速装置の状態を示す固定側メンバー側からの正面略図である。
【発明を実施するための形態】
【００１６】
本発明は、引込み機能を有するスライドレールにおいて、固定側メンバーの後端部に設けられた自己復帰型のシリンダー式ダンパーと、固定側メンバーの後端部に回動自在に設けられた操作体より構成され、操作体は、移動側メンバーが引込み位置に達すると、移動側メンバーの後端部によってシリンダー式ダンパーのピストンシャフトを押し込むように回動し、所定角度回動すると、移動側メンバーの後端部を乗り越えて回動運動が停止し、移動側メンバーが引込み終了位置に達するまで停止した状態を維持し、移動側メンバーが引込み終了位置から引出されて、移動側メンバーの後端部が所定位置に達した後、初期状態に復帰すると共に、操作体の回動支点からシリンダー式ダンパーに作用する操作体の箇所までの寸法より、操作体の回動支点から移動側メンバー又は固定側メンバーの操作体を回動させる箇所までの寸法が大きく設定されているものである。
【実施例】
【００１７】
以下、第１実施例を図に基づいて説明する。
符号１００は、本発明を具備したスライドレールを示し、スライドレール１００は、移動側メンバー１と、ボール３０・・・を回転自在に保持するボールリテーナー３を介して移動側メンバー１と互いに摺動自在となした固定側メンバー２と、移動側メンバー１の後端部に取付られた引込み部材５と、引込み部材５に対応して、固定側メンバー２に設けられた引込み案内部７より構成されている。
そして、固定側メンバー２の後端部の内面には第１実施例の減速装置８が設けられている。以下、図１において左側斜め上方向を引き出し側（先端側）、右側斜め下方向を収納側（後端側）として説明する。
【００１８】
移動側メンバー１は、金属製の細長条板の短手両端部を内向き円弧状に折り曲げた内面長手方向にボール摺動溝１０、１０を有する上下両折曲縁１１、１１と、引出し等と連結される移動側メンバー基板１２より断面略Ｃ字形に形成されている。
そして、移動側メンバー基板１２の引き出し側端部を固定側メンバー２方向に折り曲げて移動側収納時ストッパー１３が形成され、移動側メンバー基板１２の後部側に固定側メンバー２方向に一部が突出する移動側引出し時ストッパー１４が形成されている。
【００１９】
固定側メンバー２は、金属製の細長条板の短手両端部を外向き円弧状に折り曲げて形成された外面長手方向にボール摺動溝２０、２０を有する上下両折曲縁２１、２１と、固定側メンバー基板２２より、断面略Ｃ字形に形成されている。
そして、固定側メンバー基板２２の引き出し側前部の一部を移動側メンバー１方向に突出させて移動側メンバー１が引き出された状態で、ボールリテーナー３の後端部が当接するリテーナー後端部ストッパー２３が形成されている。
そして、引込み部材５に対応して固定側メンバー２の上折曲縁２１の後端部を下方に傾斜するよう折り曲げて、上折曲縁２１と一体に連続する引込み案内部７（詳細は後記）が形成されている。
【００２０】
ボールリテーナー３は、帯条金属板にて移動側メンバー１、固定側メンバー２間に挿入可能な大きさで、かつ、固定側メンバー２の略３分の１程度の長さで、コ字形の基板３１と、移動側メンバー１と固定側メンバー２の上下の折曲縁１１、１１、２１、２１間に突出する基板３１の上下端部に連設された上下の折曲片３２、３２からなり、上下の両折曲片３２、３２の摺動方向の数箇所に複数個のボール３０・・・を回転自在に保持している。
そして、基板３１の後端部の一部を固定側メンバー２の基板２２側に突出せしめ、移動側メンバー１が最も引き出された時、前記固定側メンバー２のリテーナー後端部ストッパー２３の後端に当接して停止するリテーナー引き出し時後ストッパー３３が形成され、基板３１の前部の一部を移動側メンバー基板１２側に突出せしめ、移動側メンバー１が最も引き出された時、前記移動側メンバー１の移動側引出し時ストッパー１４が後端に当接して停止するリテーナー引き出し時前ストッパー３４が形成されている。
【００２１】
すなわち、スライドレール１００は、移動側メンバー１が最も引き出された状態（最大伸長状態）で、移動側メンバー１の移動側引出し時ストッパー１４がリテーナー３のリテーナー引き出し時前ストッパー３４に当接し、リテーナー引き出し時後ストッパー３３が、固定側メンバー２のリテーナー後端部ストッパー２３に当接した状態となり、一方、スライドレール１００の最短収縮状態では、固定側メンバー２の上下折り曲げ縁２１、２１の前端面に移動側メンバー１の移動側収納時ストッパー１３が当接している。
【００２２】
引込み案内部７は、固定側メンバー２のボール摺動溝２０の後端部所定位置から、移動側メンバー１を引き込む方向に固定側メンバー２の折曲縁２１を順次傾斜させて、固定側メンバー２のボール摺動溝２０と同形で、ボール摺動溝２０に連続する引込み案内路７０を有して折曲縁２１と一体に形成されている。
すなわち、固定側メンバー２の上折曲縁２１と、上折曲縁２１と固定側メンバー基板２２との連続部分を残して、固定側メンバー基板２２と下折曲縁２１の後端部を、前後方向に所定寸法切り落とされた加工用切り落とし部７１と、加工用切り落とし部７１の下端部前側に下折曲縁２１とそれに連続する固定側メンバー基板２２の下端側を切り欠いて、減速装置８０の操作用切り欠き部７１１が形成された後、残った固定側メンバー２の上折曲縁２１と、固定側メンバー基板２２の上折曲縁２１との連続部分が後方にむかって下方に傾斜するよう変形されて、固定側メンバー２のボール摺動溝２０と同形で、ボール摺動溝２０に連続する引込み案内路７０を有する引込み案内部７が形成されている。
【００２３】
引込み案内路７０は、後方に向かって、水平方向から下方に約１５度傾斜するボール摺動溝２０と同形で長めの第１案内路７２と、第１案内路７２の後端に連続して、後方に向かって、水平方向から下方に２５度傾斜するボール摺動溝２０と同形で短めの第２案内路７３より形成されている。
すなわち、ばね５１の付勢力が一定であれば、第１案内路７２の傾斜角度を大きくすれば、引込みスピードが速くなり、傾斜角度を小さくすれば、引込みスピードは緩やかとなる。
【００２４】
引込み部材５は、ばね５１と、移動側メンバー１に取り付けられ、ばね５１によって所定方向（図１で時計回りの方向）に回動力を付与された回動腕６と、回動腕に取り付けられた圧接子５０より構成されている。
ばね５１は、実施例では巻きばねが採用されており、移動側メンバー基板１２の後端に一部を外方に突出せしめて形成されたばね上保持突片１８の上保持孔１８０に、一端が保持され、移動側メンバー基板１２の後端部に回動自在に取付けられた回動腕６に形成されたばね下保持突片６２の下保持孔６２０に他端が保持され、それぞれの端部が離間する方向に付勢されている。
すなわち、回動腕６は、後端部が下方に回動する方向に付勢された状態となっている。
【００２５】
回動腕６は、移動側メンバー基板１２の後端部に形成された取付孔１１０に、連結軸６０を介して回動自在に連結される、連結孔６１０を有する回動用基板６１と、回動基板６１の後端部から上方に突出し、上端に連結孔６３０が形成された圧接子取付用基板６３より横向きL字形に構成されている。
そして、下保持孔６２０を有する前記ばね下保持突片６２が回動用基板６１の後端部に外方に突出して形成されている。
圧接子５０は、実施例では、固定側メンバーのボール摺動溝２０に一致する外形の回転ローラーで形成され、回動取付軸５０１、連結孔６３０にて、圧接子取付用基板６３に回転自在に連結されている。
すなわち、ばね５１の付勢力が一定であれば、連結孔６１０（回動支点点）から圧接子５０（回転ローラーの中心）までの長さが長い程、圧接子５０が引込み案内路７０に圧接する力が弱くなり、引込みスピードは緩やかとなる。
【００２６】
第１実施例の減速装置８０は自己復帰型のシリンダー式ダンパー８と、シリンダー式ダンパー８の操作体８１より構成されている。
シリンダー式ダンパー８は自己復帰用のバネを有し、内部に高粘度のオイルあるいはグリスが充填された円筒形のシリンダー本体８２と、シリンダー本体８２に出入自在に保持されたピストンシャフト８３よりなり、シリンダー本体８２の先端側は固定側メンバー２の固定側メンバー基板２２に連結軸８４にて回動可能に連結されている。
そして、ピストンシャフト８３は鉤型に折り曲げられた係止突起８３１を後端に有している。
【００２７】
操作体８１は、角棒状の操作用脚部８１１と、半円盤状の連結用頭部８１２よりなり、
連結用頭部８１２には連結孔８１３と、前記ピストンシャフト８３の係止突起８３１が嵌入係止する係止孔８１４が、操作体８１の略起立状態で連結孔８１３の上方に位置して形成されている。
そして、操作体８１は、回動連結軸８１５と連結孔８１３をもって、固定側メンバー２の固定側メンバー基板２２の後端に回動自在に連結され、操作用脚部８１１の下半部は、移動側メンバー１が引込み開始位置から前方に位置する状態で、固定側メンバー２の後端に形成された減速装置８０の操作用切り欠き部７１１から移動側メンバー１の下折曲縁１１の下方に向かって突出する略起立状態となる。
そして、この状態で、シリンダー式ダンパー８のピストンシャフト８３は伸びきった状態となっている。（図１１に示す状態。）
【００２８】
尚、第１実施例では、移動側メンバー１が引込み開始位置に達した状態で（図１１に示す状態で）、操作体８１の回動支点（回動連結軸８１５の中心）から移動側メンバー１の操作体８１を回動させる箇所（移動側メンバー２の下折り曲げ縁１１の後端面が、操作用脚部８１１に当接する箇所）までの寸法が、操作体８１の回動支点（回動連結軸８１５の中心）から、シリンダー式ダンパー８に作用する操作体８１の箇所（ピストンシャフト８３の係止突起８３１が嵌入係止している係止孔８１４の中心）までの寸法のほぼ３倍に設定されている。
【００２９】
本発明の第１実施例は上記の如く構成され、スライドレール１００の最大伸長状態から、移動側メンバー１を押し込んでいくと（移動側メンバー１と連結された移動側部材を収納していくと）、回転ローラー５０は、固定側メンバー２のボール摺動溝２０の後端から第１案内路７２の前端（引込み開始位置）に位置し、移動側メンバー１の下折曲縁１1の後端面が操作体８１の操作用脚部８１１の前端面に衝突する（図１１に示す状態）と同時にバネ５１の付勢力によって、回転ローラー５０は第１案内路７２に圧接するので、ばね５１の付勢力によって、移動側メンバー１は急激に引込まれようとするが、同時に、移動側メンバー１の下折曲縁１1の後端面が操作体８１の操作用脚部８１１の前端面に当接しているから、操作体８１は、伸びきった状態のピストンシャフト８３をシリンダー本体８２内に押し込むように回動するから、結果として、移動側メンバー１は急激に引込まれることがなく、ダンパー性能とバネ５１の付勢力の微妙なバランスに対応して、非常に緩やで、かつ、徐々に引込まれる。
【００３０】
そして、移動側メンバー１の下折り曲げ縁１１の後端面を、操作体８１の操作用脚部８１１の下端部が乗り越す直前（図１３に示す状態）から、さらに、移動側メンバー１が引込まれ、操作用脚部８１１の下端部が移動側メンバー１の下折り曲げ縁１１の後端面を乗り越すと（図１４に示す状態）、操作体８１の回動が停止し、減速機能は解除された状態となる。
従って、ばね５１の両端部が順次に離間することでばね５１の付勢力が徐々に弱まり、引込み力も少し低下するが、減速機能が解除されることで、低下した引込み力の影響を受けることなく、引込み当初の減速された緩やかな動きとは逆に、まるで、吸い込まれるようなすばやい動きに変化し、スムースに引込み終了位置まで移動側メンバーは引込まれる。
この時、両端部が順次に離間することでばね５１の付勢力がさらに弱まるが、第２案内路７３は第１案内路７２より傾斜角度を大きくしているので、付勢力の弱まりを補い確実に最短収縮状態を維持する。（図９に示す状態。）
【００３１】
この状態から、移動側メンバー１が引き出されると、ばね５１の付勢力（傾斜角度の大きい第２案内路７３による初期抵抗）に抗して回動腕６は図９で時計廻りに回動しながら、移動側メンバー１と共に前方に移動し、回転ローラー５０は第２案内路７３から第１案内路７２の途中に位置する。（図１４に示す状態。）。
この時、バネ５１の両端部が順次に接近することでばね５１の付勢力が強まるが、第１案内路７２は第２案内路７３より傾斜角度が小さいので、初期抵抗よりは小さな抵抗で移動側メンバー１は前方に移動し、移動側メンバー１の下折曲縁１1の後端面が、操作体８１の操作用脚部８１が後端面の前方位置に達すると、バネ５１の両端部がさらに接近することでばね５１の付勢力は徐々に強まるが、自己復帰型のシリンダー式ダンパー８の復帰力（操作用脚部８１が図１３で反時計回りに回動する回動力、すなわち、移動側メンバー１を押し出す力）が加わるので、引出し力は変化することなく、移動側メンバー１は円滑に摺動する。
そして、回転ローラー５０はボール摺動溝２０に位置し、ばね５１の付勢力による抵抗がほとんどなくなった状態で移動側メンバー１は最大伸長状態まで引き出される。
【００３２】
次に本発明の第２実施例を図１５から図２１に基づいて説明する。
第１実施例の減速装置８０は、固定側メンバー２の後端部に組み込まれているが、第２実施例の減速装置９０は、ケース体９００に内蔵されて、移動側メンバー１の前端部に着脱自在に設けられている。
そして、前記ケース体９００の取付箇所を除き、移動側メンバー１、固定側メンバー２、ボールリテーナー３、移動側メンバー１の後端部に取付られた引込み部材５と、引込み部材５に対応して、固定側メンバー２に設けられた引込み案内部７は第１実施例の場合と変わらないので説明は省略する。
以下、図１６において右側斜め上方向を引き出し側（先端側）、左側斜め下方向を収納側（後端側）として説明する。
【００３３】
第２実施例の減速装置９０は自己復帰型のシリンダー式ダンパー９と、シリンダー式ダンパー９の操作体９１より構成されている。
シリンダー式ダンパー９は自己復帰用のバネを有し、内部に高粘度のオイルあるいはグリスが充填された円筒形のシリンダー本体９２と、シリンダー本体９２に出入自在に保持されたピストンシャフト９３よりなり、ピストンシャフト９３の先端部分は半球形に形成され、操作体９１に当接している。
【００３４】
操作体９１は、板状下向き略３角形状の操作用脚部９１１と、板状上向き略３角形状の操作用腕部９１２よりなり、操作用腕部９１２の下端部の両側面側には回動用突起９１３、９１３が操作用腕部９１２と一体に連設され、操作用腕部９１２の前面側には操作面９１４が形成されている。
そして、シリンダー式ダンパー９と操作体９１は、ケース体９００内に内臓保持されている。
【００３５】
ケース体９００は、固定側ケース９０１と、固定側ケース９０１と連結されるカバーケース９０２より構成されている。
固定側ケース９０１は、シリンダー本体９２が嵌合するシリンバー本体嵌合凹部９０３と、嵌合凹部９０３の前側に連設された操作体９１の回動用凹部９０４と、回動用凹部９０４に形成された、前記回動用突起９１３が回動自在に嵌入する回動支持凹部９０５を有する装置保持部９５と、装置保持部９５の下面の前後に所定間隔を有して連設された前後嵌合取付部９６、９６より構成されている。
【００３６】
前嵌合取付部９６と後嵌合取付部９６は同形であるから、前嵌合取付部９６についてのみ説明すると、
前嵌合取付部９６は、移動側メンバー１の下折曲縁１１の内面に嵌合密着する下嵌合部９６１と、移動側メンバー基板１２の内面側に密着する内面当接部９６２と、内面当接部９６２の上端前後端部に所定間隔を有して連設され、移動側メンバ１ーの上折曲縁１１の内面に嵌合密着する上嵌合部９６３、９６３を有し、上嵌合部９６３、９６３間には、移動側メンバー１の上折曲縁１１の後端部に形成された取付用切欠部１１１に嵌合する嵌合連設部９６４が、装置保持部９５と内面当接部９６２間に連設されている。
嵌合連設部９６４はケース体９００が移動側メンバー１に取付られた状態での前後動を阻止している。
そして、装置保持部９５のカバーケース９０２側にはカバーケース９０２を連結するための複数個の連結孔９５０・・・が形成されている。
尚、実施例では、固定側ケース９０１の装置保持部９５と、前後嵌合取付部９６、９６と、嵌合連設部９６４、９６４は合成樹脂材にて一体に成形されている
【００３７】
カバーケース９０２は、装置保持部９５のシリンダー本体嵌合凹部９０３、回動用凹部９０４、回動支持凹部９０５に対応する各凹部（図示せず）と、連結孔９５０・・・に対応する取付孔９０６・・・を有し、内部に自己復帰型のシリンダー式ダンパー９と操作体９１を保持し、ピストンシャフト９３の先端部が操作面９１４に当接した状態で、操作体９１を回動自在に保持し、操作用脚部９１１が装置保持部９５とカバーケース９０２の下方に突出した状態に、装置保持部９５と連結ネジで連結されている。
【００３８】
そして、第２実施例の減速装置９０はケース体９００に内蔵された状態で、移動側メンバー１の前端部で、嵌合連設部９６４、９６４を、移動側メンバー１の取付用切欠部１１１、１１１に嵌合し、上下折曲縁１１、１１、移動側メンバー基板１２に前後取付部９６、９６を嵌合密着させて、着脱自在に取り付けられる。
尚、第２実施例では、移動側メンバー１が引込み開始位置に達した状態で（図１８に示す状態で）、操作体９１の回動支点（回動用突起９１３の中心）から固定側メンバー２が操作体９１を回動させる箇所（固定側メンバー２の上折り曲げ縁２１の前端面が、操作用脚部９１１に当接する箇所）までの寸法が、操作体９１の回動支点（回動用突起９１３の中心）から、シリンダー式ダンパー８に作用する操作体９１の箇所（ピストンシャフト９３の先端が操作面９１４に当接している箇所）までの寸法の約２倍強に設定されている。
【００３９】
第２実施例は上記の如く構成され、スライドレール１００の最大伸長状態から、移動側メンバー１を押し込んでいくと（移動側メンバー１と連結された移動側部材を収納していくと）、回転ローラー５０は、固定側メンバー２のボール摺動溝２０の後端から第１案内路７２の前端（引込み開始位置）に位置し、固定側メンバー２の上折曲縁２1の前端面に操作体９１の操作用脚部９１１の後端面が衝突する（図１８に示す状態）と同時に、バネ５１の付勢力によって、回転ローラー５０は第１案内路７２に圧接するので、ばね５１の付勢力によって、移動側メンバー１は急激に引込まれようとするが、同時に、固定側メンバー２の上折曲縁２1の前端面が操作体９１の操作用脚部９１１の後端面に当接しているから、操作体９１は、伸びきった状態のピストンシャフト９３をシリンダー本体９２内に押し込むように回動するから、結果として、移動側メンバー１は急激に引込まれることがなく、ダンパー性能とバネ５１の付勢力の微妙なバランスに対応して、非常に緩やで、かつ、徐々に引込まれる。
【００４０】
そして、固定側メンバー２の上折り曲げ縁２１の前端面を、操作体９１の操作用脚部９１１の下端部が乗り越す直前（図１９に示す状態）から、さらに、移動側メンバー１が引込まれ、操作用脚部９１１の下端部が固定側メンバー２の上折り曲げ縁２１の前端面を乗り越すと（図２０に示す状態）、操作体９１の回動が停止し、減速機能は解除された状態となる。
従って、ばね５１の両端部が順次に離間することでばね５１の付勢力が徐々に弱まり、引込み力も少し低下するが、減速機能が解除されることで、低下した引込み力の影響を受けることなく、引込み当初の減速された緩やかな動きとは逆に、まるで、吸い込まれるようなすばやい動きに変化し、スムースに引込み終了位置まで移動側メンバーは引込まれる。
この時、両端部が順次に離間することでばね５１の付勢力がさらに弱まるが、第２案内路７３は第１案内路７２より傾斜角度を大きくしているので、付勢力の弱まりを補い確実に最短収縮状態を維持する。（図２１に示す状態。）
【００４１】
この状態から、移動側メンバー１が引き出されると、ばね５１の付勢力（傾斜角度の大きい第２案内路７３による初期抵抗）に抗して回動腕６は図２０で時計廻りに回動しながら、移動側メンバー１と共に前方に移動し、回転ローラー５０は第２案内路７３から第１案内路７２の途中に位置する。（図２０に示す状態。）。
この時、バネ５１の両端部が順次に接近することでばね５１の付勢力が強まるが、第１案内路７２は第２案内路７３より傾斜角度が小さいので、初期抵抗よりは小さな抵抗で移動側メンバー１は前方に移動し、操作体９１の操作用脚部９１１の後端面が、固定側メンバー２の上折曲縁２1の前端面の前方位置に達すると、バネ５１の両端部がさらに接近することでばね５１の付勢力は徐々に強まるが、自己復帰型のシリンダー式ダンパー９の復帰力（操作用脚部９１１が図１９で時計回りに回動する回動力、すなわち、移動側メンバー１を押し出す力）が加わるので、引出し力は変化することなく、移動側メンバー１は円滑に摺動する。
そして、回転ローラー５０はボール摺動溝２０に位置し、ばね５１の付勢力による抵抗がほとんどなくなった状態で移動側メンバー１は最大伸長状態まで引き出される。
【００４２】
尚、実施例では、移動側メンバー１の後端部に取付られた引込み部材５と、引込み部材５に対応して、固定側メンバー２に設けられた引込み案内部７より、スライドレール１００に引込み機能を付加しているが、移動側メンバーと固定側メンバーに連結される移動側部材（例えば引出し等）と固定側部材（例えば家具本体等）間に引込み機能を有する部材を構成し（例えば、特公平５−２３７６３号公報に示す。）し、スライドレールに間接的に引込み機能を付加しても良い。
又、引込み機能をスライドレールに付加する構成は、実施例に限定されるものではなく、適宜変更可能である。
【産業上の利用可能性】
【００４３】
以上詳述したように、本発明は、家具等の本体と引出し間、あるいは陳列棚本体と棚板間、さらには、複写機本体と給紙トレー間に取り付けて使用することができ、広範囲で利用可能である。
【符号の説明】
【００４４】
１              移動側メンバー
１０            ボール摺動溝
１１、１１      上下折曲縁
１００          スライドレール
２              固定側メンバー
２０            ボール摺動溝
２１、２１      上下折曲縁
５              引込み部材
５１            ばね（巻きばね）
６              回動腕
７              引込み案内部
７０            引込み案内路
７２            第１案内路
７３            第２案内路
５０            圧接子（回転ローラー）
８、９          自己復帰型シリンダー式ダンパー
８０、９０      減速装置
８１、９１      操作体
【図１】
2011239849.tif 000003
【図２】
2011239849.tif 000004
【図３】
2011239849.tif 000005
【図４】
2011239849.tif 000006
【図５】
2011239849.tif 000007
【図６】
2011239849.tif 000008
【図７】
2011239849.tif 000009
【図８】
2011239849.tif 000010
【図９】
2011239849.tif 000011
【図１０】
2011239849.tif 000012
【図１１】
2011239849.tif 000013
【図１２】
2011239849.tif 000014
【図１３】
2011239849.tif 000015
【図１４】
2011239849.tif 000016
【図１５】
2011239849.tif 000017
【図１６】
2011239849.tif 000018
【図１７】
2011239849.tif 000019
【図１８】
2011239849.tif 000020
【図１９】
2011239849.tif 000021
【図２０】
2011239849.tif 000022
【図２１】
2011239849.tif 000023